(57)【要約】【課題】上部旋回体内部の既設搭載物のレイアウトを変更することなく、上部旋回体内部に大形の工具箱を設けることを可能にした油圧ショベルの工具収納装置を提供する。【解決手段】下部走行体（１０）の上部に上部旋回体（１１）を旋回自在に載置し、該上部旋回体（１１）の下部に設けた旋回フレーム（１１ａ）　に、作業機（１２）と、運転室（１３）又は運転席とを搭載すると共に、エンジン（１４）、及び、タンク類を含む油圧機器を囲い体（１６）で被覆して搭載した油圧ショベルにおいて、前記囲い体（１６）内側の搭載物の上部と前記囲い体（１６）の上部被覆カバー（１７）との間の空間（１９）に、工具を収納する工具箱（１８）を架設して具えたものである。【選択図】　　　　図５
2004116102.tif 000002
【特許請求の範囲】
【請求項１】
下部走行体（１０）の上部に上部旋回体（１１）を旋回自在に載置し、該上部旋回体（１１）の下部に設けた旋回フレーム（１１ａ）　に、作業機（１２）と、運転室（１３）又は運転席とを搭載すると共に、エンジン（１４）、及び、タンク類を含む油圧機器を囲い体（１６）で被覆して搭載した油圧ショベルにおいて、
前記囲い体（１６）内側の搭載物の上部と前記囲い体（１６）の上部被覆カバー（１７）との間の空間（１９）に、工具を収納する工具箱（１８）を架設して具えた
ことを特徴とする油圧式ショベルの工具収納装置。
【請求項２】
前記工具箱（１８）を架設して具える空間が、前記囲い体（１６）内側のタンク、メインバルブを含む機器室（２４）の搭載物上部と該機器室（２４）の上部被覆カバー（１７）との間の機器室上部空間（１９）である
ことを特徴とする請求項１記載の油圧ショベルの工具収納装置。
【請求項３】
前記上部被覆カバー（１７）が、旋回フレーム（１１ａ）　に対して固定的に取り付けた天板固定カバー（２５）と、開閉自在に取り付けた天板開閉カバー（２６）とを有し、
前記工具箱（１８）を、前記天板固定カバー（２５）と天板開閉カバー（２６）の両カバーに跨がる大きさに形成し、
天板固定カバー（２５）に跨る工具箱部分（１８ａ）　を天板固定カバー（２５）の裏面に取り付けると共に、天板開閉カバー（２６）に跨る工具箱部分（１８ｂ）　を工具出し入れ用に開口して、天板開閉カバー（２６）を該工具箱（１８）の蓋兼用に用いた
ことを特徴する請求項２記載の油圧ショベルの工具収納装置。
【発明の詳細な説明】
【０００１】
【発明の属する技術分野】
本発明は、油圧式ショベルの工具収納装置に関する。
【０００２】
【従来の技術】
従来の油圧式ショベルにおいては、該車両の修理、保全、整備を行うための工具を収納する工具箱を、上部旋回体前端部に設けた、箱形形成のステップの内部に設置しているものがある。（例えば、特許文献１参照）。
【０００３】
【特許文献１】
特開平８−１００４４４号公報（第２−３頁、第１−２図）
【０００４】
【発明が解決しようとする課題】
油圧ショベルの場合、工具箱は、工具を使用するときに取り出しやすい箇所、例えば、前記従来技術に記載したような上部旋回体周辺に設けるステップを利用して、ステップ内部に工具箱を設置可能にするか、または、上部旋回体外周部の周壁の一部に窓を構成して、上部旋回体の内部に工具箱を設置可能にすることが、通常に実施されている。
【０００５】
しかしながら、上部旋回体の全周旋回半径を、下部走行体の左右方向幅内に収めるようにした油圧ショベルにあっては、上部旋回体の周壁回りに上部旋回体の旋回半径を超えてステップを設けることはできず、また、上部旋回体の旋回半径の内側にステップを設けることも搭載設置物の専有スペースを制限することから困難である。また、上部旋回体外周部の周壁に窓を構成して旋回体内部に工具箱設置空間を作り得ても、十分な大きさの空間が確保できないので、十分な大きさの容積を有する工具箱を確保できない問題がある。
【０００６】
また、上部旋回体の後端旋回半径を、下部走行体の左右方向幅内に収めるようにした油圧ショベルにあっても、上部旋回体の前端隅側に箱形ステップを設けて工具箱の設置箇所とすることは、上部旋回体前端部に取り付ける作業機スイングブラケットが干渉するために実施が困難であり、また、上部旋回体の周壁に窓を構成して旋回体内部に工具箱設置空間を作り得ても、十分な大きさの空間が確保できないので、小形の収納工具箱となってしまう問題がある。
【０００７】
本発明は上記従来の問題点に着目し、上部旋回体内部の既設搭載物のレイアウトを変更することなく、上部旋回体内部に大形の工具箱を設けることを可能にした油圧ショベルの工具収納装置を提供することを目的としている。
【０００８】
【課題を解決するための手段、および作用、効果】
上記目的を達成するために、本発明に係る油圧ショベルの工具収納装置の第１発明は、下部走行体の上部に上部旋回体を旋回自在に載置し、該上部旋回体の下部に設けた旋回フレームに、作業機と、運転室又は運転席とを搭載すると共に、エンジン、及び、タンク類を含む油圧機器を囲い体で被覆して搭載した油圧ショベルにおいて、前記囲い体内側の搭載物の上部と前記囲い体の上部被覆カバーとの間の空間に、工具を収納する工具箱を架設して具えた構成としている。
【０００９】
第１発明によると、工具箱を、上部旋回体内部に配設された搭載物の上方の空間に設けるようにしたから、任意のスペースの工具箱の設置が可能となる。従って、例えば上部旋回体の全周旋回半径を下部走行体の左右方向幅内に収めるようにした油圧ショベル、または上部旋回体の後端旋回半径を下部走行体の左右方向幅内に収めるようにした油圧ショベルにも容易に適用できて、十分に大きな工具箱スペースを確保できる。
【００１０】
また第２発明は、第１発明において、前記工具箱を架設して具える空間が、前記囲い体内側のタンク、メインバルブを含む機器室の搭載物上部と該機器室の上部被覆カバーとの間の機器室上部空間である構成としている。
【００１１】
第２発明によると、工具箱を、普段に点検保守を行うタンク、メインバルブを含む機器室の上部空間に架設するようにしたので、保守作業の利便性が良い。
【００１２】
また、第３発明は、第２発明において、前記上部被覆カバーが、旋回フレームに対して固定的に取り付けた天板固定カバーと、開閉自在に取り付けた天板開閉カバーとを有し、前記工具箱を、前記天板固定カバーと天板開閉カバーの両カバーに跨がる大きさに形成し、天板固定カバーに跨る工具箱部分を天板固定カバーの裏面に取り付けると共に、天板開閉カバーに跨る工具箱部分を工具出し入れ用に開口して、天板開閉カバーを該工具箱の蓋兼用に用いた構成としている。
【００１３】
第３発明によると、工具箱を、上部被覆カバーの天板固定カバー及び天板開閉カバーの裏側に跨げて架設することにより、天板固定カバーと天板開閉カバーが工具箱の蓋代わりになり、天板開閉カバーを開けば工具箱の工具出し入れ用の開口が外部空間に臨み、従って簡易な構成で済む。
【００１４】
【発明の実施の形態】
以下に、本発明の実施形態について、図面を参照して詳細に説明する。
図１は、本発明の適用対象として好適な後端小旋回形油圧ショベルの側面図であり、図２は図１の上面図であり、図３は図１における運転室を外して見た上部旋回体内部の機器室の側面図であり、図４は図３の天板開閉カバーを外して見た機器室の上面図であり、図５は図３の正面破断図である。
【００１５】
図１、図２において、下部走行体１０の上部に、上部旋回体１１が旋回可能に載置して取付けられている。この上部旋回体１１は、該旋回体１１の後端部の旋回半径が下部走行体１０の左右方向全幅内に略収まる大きさに設定されている。この上部旋回体１１の下部に設けた旋回フレーム１１ａには、前端部に作業機装置１２を、前部左側に運転室１３を、また後部に、エンジン１４、冷却装置類（図示せず）及びカウンタウエイト１５を、さらに前部右側には、タンク類（後述の作動油タンク２０，燃料タンク２１）、油圧機器類（後述のメインバルブ２２等）、バッテリ等の搭載物をそれぞれ搭載している。また、作業機装置１２、運転室１３、カウンタウエイト１４等を除く上部旋回体１１内部の上記搭載物の外周側面部及び上部は、囲い体１６によって被覆されている。
【００１６】
前記構成の上部旋回体１１には、図３〜図５に示すように、上部旋回体１１の前記搭載物の上部と、囲い体１６の一部である上部被覆カバー１７との間の機器室上部空間１９に、工具を収容する工具箱１８が架設されている。
【００１７】
上記工具箱１８が架設される機器室上部空間１９は、上部旋回体１１内部における主として作動油タンク２０、燃料タンク２１、メインバルブ２２およびバッテリ２３を含む搭載物を内蔵する機器室２４の上部に位置している。
【００１８】
前記機器室上部空間１９を覆う上部被覆カバー１７は、車両中央側に、旋回フレーム１１ａに対して固定的に取り付けられた天板固定カバー２５と、車両左右方向外側に、図示しない蝶番により開閉可能に取り付けられた天板開閉カバー２６とを有しており、天板固定カバー２５の上板縁２７に天板開閉カバー２６の側端部をオーバラップして取り付けている。
【００１９】
前記工具箱１８は、前記天板固定カバー２５および前記天板開閉カバー２６の両カバーの裏側に跨る大きさで、上方に開口した開口部を有する箱形に形成してある。この工具箱１８は、前記天板固定カバー２５の裏面に位置する箱部分１８ａの上部開口部の縁に締結用フランジ２８を有し、該締結用フランジ２８を天板固定カバー２５の裏側にあてがってボルト２９により固定することにより、前記機器室上部空間１９に架設される。そして、前記天板開閉カバー２６の裏面に跨る箱部分１８ｂの上部開口部から、工具の出し入れをするようにしている。
【００２０】
また、上部旋回体１１の右前端部には、該旋回体１１の上部に乗降するためのステップ２９が取り付けてあり、該ステップ２９の近傍の天板固定カバー２５上面には手摺り３０を取り付けている。これらのステップ２９および手摺り３０は、上部旋回体１１の前記機器室上部空間１９に架設した工具箱１８に地上から手が届かないような大きさの油圧ショベルの場合に具えられ、上部旋回体１１の上部に登って工具箱１８に近づくために設けてある。
【００２１】
本発明は、以上説明したように構成されているので、以下に記載するような効果が得られる。
工具箱を、上部旋回体内部に配設された搭載物の上部と上部被覆カバーとの間の機器室上部空間に架設するようにしたから、搭載物に制限されることがなく、該空間の広さを最大限に利用して任意の大きさの工具箱が設置できる。通常、搭載物の上方の上記空間には大型の工具箱が設置できるだけのスペースがあるので、大型の工具箱の設置が容易である。
【００２２】
また、工具箱を、主に上部旋回体に搭載したタンク類、メインバルブを含む機器室の上部空間に架設するようにしたから、日常頻繁に点検保守を行うタンク類、メインバルブを含む搭載物の保守および点検整備の際には、手近にて必要な工具を求めることができるため、作業の利便性が良い。
【００２３】
また、工具箱を、天板固定カバーと天板開閉カバーの裏側に跨げて架設することにより、天板固定カバーと天板開閉カバーが工具箱の蓋代わりになり、また天板開閉カバーを開けば工具箱の開口部から工具出し入れが容易である。従って、簡易な構成で済み、特別な架設構成を必要としないので安価に構成できる。
【図面の簡単な説明】
【図１】本発明の適用例の後端小旋回形油圧ショベルの側面図である。
【図２】図１の上面図である。
【図３】上部旋回体内部の機器室の側面図である。
【図４】図３の上面図である。
【図５】図３の正面破断図である。
【符号の説明】
１０…下部走行体、１１…上部旋回体、１２…作業機装置、１３…運転室、１４…エンジン、１５…カウンタウエイト、１６…囲い体、１７…上部被覆カバー、１８…工具箱、１９…機器室上部空間、２０…作動油タンク、２１…燃料タンク、２２…メインバルブ、２３…バッテリ、２４…機器室、２５…天板固定カバー、２６…天板開閉カバー、２７…上板縁、２８…締結用フランジ、２９…ステップ、３０…手摺り。
【図１】
2004116102.tif 000003
【図２】
2004116102.tif 000004
【図３】
2004116102.tif 000005
【図４】
2004116102.tif 000006
【図５】
2004116102.tif 000007